(57)【要約】【課題】  スタンドアロン型のデータ収集処理と、ネットワーク型のデータ収集処理とを並列実行するデータ収集子機を含むデータ収集システムを安価に提供することを目的とする。【解決手段】  データ収集親機１へ測定データを送信するデータ収集子機であって、ユーザ端末４２から入力される第１設定データ及びデータ収集親機１から送信される第２設定データを記憶する設定データ記憶部２０３を備え、第２設定データは、上記第１設定データの格納後における設定データ記憶部２０３の空き領域に格納される。また、第１設定データに基づいて取得した第１測定データと、第２設定データに基づいて取得された第２測定データとを保持する測定データ記憶部２０５を備え、第１測定データが、第１設定データによって指定された記憶領域に格納され、第２測定データが、その他の記憶領域に格納される。【選択図】  図５
2006215997.tif 000002
【特許請求の範囲】
【請求項１】
測定データを取得する複数のデータ収集子機と、各データ収集子機から測定データを収集するデータ収集親機とを備えたデータ収集システムにおいて、
いずれかの上記データ収集子機は、ユーザ端末が接続される端末Ｉ／Ｆ部と、
上記端末Ｉ／Ｆ部を介して入力される第１設定データ及び上記データ収集親機から送信される第２設定データを記憶する設定データ記憶部と、
上記第１設定データに基づいて第１測定データを取得する第１データ取得部と、
上記第２設定データに基づいて第２測定データを取得する第２データ取得部とを備え、
上記第２設定データは、上記第１設定データの格納後における上記設定データ記憶部の空き領域に格納されることを特徴とするデータ収集システム。
【請求項２】
上記データ収集子機は、上記第１測定データ及び第２測定データを格納する測定データ記憶部と、
上記測定データ記憶部に保持されている第２測定データを上記データ収集親機に送信するデータ送信部とを備え、
上記第１データ取得部は、第１設定データによって指定された記憶領域に第１測定データを格納し、
上記第２データ取得部は、その他の記憶領域に上記第２測定データを格納することを特徴とする請求項１に記載のデータ収集システム。
【発明の詳細な説明】
【技術分野】
【０００１】
本発明は、データ収集システムに係り、更に詳しくは、２以上の各データ収集子機がそれぞれ測定データを取得し、データ収集親機がこれらの測定データを収集するデータ収集システムに関する。
【背景技術】
【０００２】
最近の生産ラインでは、生産工程ごとに配置された計測器や加工機等の生産機器をプログラマブルコントローラの制御下で動作させている。この様な生産機器からデータを取得して蓄積することができれば、各生産機器の稼働状況を把握することができ、また、生産中の製品について品質チェックも行うことができる。このため、プログラマブルコントローラ（ＰＬＣ：Programmable Logic Controller）や計測器などに接続され、測定データを自動的に取得し、蓄積していくデータ収集装置が既に知られている。
【０００３】
このような従来のデータ収集装置は、通常、生産工程ごとに分散して配置されている。このため、各データ収集装置に蓄積された測定データは、フレキシブルディスクやメモリカードなどの可搬性記憶媒体に記録され、ユーザによって、パーソナルコンピュータなどの情報処理装置に集められて処理されていた。つまり、各データ収集装置に蓄積された測定データの収集や照合は、ユーザ自身が行わなければならず煩雑であった。
【０００４】
そこで、生産工程ごとに配置されているデータ収集装置をネットワークを介して情報処理装置に接続し、各データ収集装置によって取得された複数の測定データを１つの情報処理装置に自動的に収集し、データベース化することが考えられる。ここでは、ネットワーク接続されたデータ収集装置及び情報処理装置をそれぞれデータ収集子機及びデータ収集親機と呼び、また、ネットワーク接続された機器からなるシステムをデータ収集システムと呼ぶことにする。この様なデータ収集システムを用いれば、ユーザは、データ収集親機にアクセスするだけで、各データ収集子機によって取得された測定データを利用することができる。つまり、各データ収集子機が設置された場所に行く必要がなくなり、利便性が高いと考えられる。
【０００５】
なお、従来のデータ収集装置では、測定データの収集に関する一連の自動処理が独立した機器内において完結している。本明細書では、このようなデータ収集処理をスタンドアロン型と呼び、ネットワークを介して他の機器へ測定データを送信するデータ収集処理をネットワーク型と呼んで区別する。
【発明の開示】
【発明が解決しようとする課題】
【０００６】
上述したとおり、スタンドアロン型のデータ収集装置は、既に様々な生産設備や試験研究設備に適用されている。このような状況下で、上記データ収集システムが利用可能になれば、同一工程にスタンドアロン型のデータ収集装置と、ネットワーク型のデータ収集子機とが併設されるケースが想定される。例えば、ネットワーク型のデータ収集システムを導入する際におけるユーザ負担軽減の観点から、スタンドアロン型のデータ収集装置の運用を維持しつつ、ネットワーク型のデータ収集子機が追加導入される場合が考えられる。また、測定データの利用目的等に応じて、スタンドアロン型とネットワーク型を使い分けるような場合も考えられる。
【０００７】
しかしながら、同一工程に、スタンドアロン型のデータ収集装置と、ネットワーク型のデータ収集子機とを併設すれば、スペース効率やコストパフォーマンスが低下してしまうと考えられる。
【０００８】
本発明は上記の事情に鑑みてなされたものであり、スタンドアロン型のデータ収集処理と、ネットワーク型のデータ収集処理とを並列実行することができるデータ収集子機を安価に実現し、当該データ収集子機を含むデータ収集システムを安価に提供することを目的とする。また、スタンドアロン型のデータ収集装置からネットワーク型のデータ収集システムへ段階的に移行することができ、移行時におけるユーザの負担を軽減することができるデータ収集システムを提供することを目的とする。
【課題を解決するための手段】
【０００９】
第１の本発明によるデータ収集システムは、測定データを取得する複数のデータ収集子機と、各データ収集子機から測定データを収集するデータ収集親機とを備えたデータ収集システムであって、上記データ収集子機が、ユーザ端末が接続される端末Ｉ／Ｆ部と、上記端末Ｉ／Ｆ部を介して入力される第１設定データ及び上記データ収集親機から送信される第２設定データを記憶する設定データ記憶部と、上記第１設定データに基づいて第１測定データを取得する第１データ取得部と、上記第２設定データに基づいて第２測定データを取得する第２データ取得部とを備え、上記第２設定データが、上記第１設定データの格納後における上記設定データ記憶部の空き領域に格納される。
【００１０】
この様な構成により、ユーザ端末から入力された第１設定データに基づいてデータ収集処理を行うデータ収集子機に対し、データ収集親機から第２設定データを送信し、この第２設定データに基づくデータ収集処理も行わせることができる。その際、第１設定データの格納後における設定データ記憶部の空き領域に第２設定データを格納することによって、設定データ記憶部を共用するとともに、第１設定データの記憶領域を優先的に確保することができる。
【００１１】
第２の本発明によるデータ収集システムは、上記データ収集子機が、上記第１測定データ及び第２測定データを格納する測定データ記憶部と、上記測定データ記憶部に保持されている第２測定データを上記データ収集親機に送信するデータ送信部とを備え、上記第１データ取得部が、第１設定データによって指定された記憶領域に第１測定データを格納し、上記第２データ取得部が、その他の記憶領域に第２測定データを格納するように構成される。
【００１２】
この様な構成により、第１測定データ及び第２測定データの格納先として、測定データ記憶部を共用することができる。その際、第１測定データの記憶領域を第１設定データによって指定することによって、測定データ記憶部内に蓄積される第１測定データのために所望の記憶領域を確保しておくことができる。また、第１測定データのみ又は第２測定データのみを格納する場合であれば、測定データ記憶部の全領域を使用することができ、いずれの場合にもメモリ資源を有効活用することができる。
【発明の効果】
【００１３】
本発明によれば、スタンドアロン型のデータ収集処理と、ネットワーク型のデータ収集処理とを並列実行する際にメモリ資源を共用化することにより、データ収集子機を安価に実現することができる。従って、当該データ収集子機を用いたデータ収集システムを安価に提供することができる。
【００１４】
このようなデータ収集システムを用いれば、スタンドアロン型からネットワーク型のデータ収集処理へ段階的に移行させることができ、移行時におけるユーザの作業負担と経済的負担をともに軽減することができる。特に、スタンドアロン型のデータ収集装置及びネットワーク型のデータ収集子機を併用する場合に比べて、スペース効率やコストパフォーマンスを向上させることができる。
【００１５】
また、スタンドアロン型のデータ収集処理の実行時、ネットワーク型のデータ収集処理の実行時、あるいは、これらの並列実行時のいずれの場合においても、データ収集子機のメモリ資源を有効活用することができる。
【発明を実施するための最良の形態】
【００１６】
図１は、本発明の実施の形態によるデータ収集システムを含む計測システムの一例を示した図である。この計測システムは、データ収集装置５及びデータ収集システム７を用いて、生産ラインの各工程で計測された計測データの収集及び蓄積を行っている。図中のデータ収集装置５は、従来のデータ収集装置であり、このデータ収集装置５と、本実施の形態によるデータ収集システム７とは、同一の生産ラインに適用されているが、互いに独立してデータ収集処理を行っている。
【００１７】
外部機器６１〜６５は、製品が順次に搬送される生産ライン上に配置され、それぞれの工程における測定データ、例えば、寸法データや温度データを保持するＰＬＣや測定装置などである。
【００１８】
データ収集装置５は、１又は２以上の外部機器６１に接続されたスタンドアロン型のデータ収集装置である。このデータ収集装置５は、所定のデータ取得条件が成立すれば外部機器６１から測定データを取得し、当該データ収集装置５内に蓄積していく。このデータ収集処理は、ユーザがスタートボタン５０を操作することによって開始される。この様にしてデータ収集装置５内に蓄積された測定データは、フレキシブルディスクやメモリカードなどの可搬性記録媒体を用いて、データ収集装置５から取り出される。また、データ収集装置５の設定変更は、当該データ収集装置５に接続したユーザ端末４３を用いて行われる。
【００１９】
データ収集システム７は、ネットワーク３を介して接続されたデータ収集親機１及びデータ収集子機２１〜２３により構成される。ここでは、１つのデータ収集親機１及び２以上のデータ収集子機２１〜２３がイーサネット(登録商標)を介して接続され、データ収集親機１と各データ収集子機２１〜２３との間でＩＰ（Internet Protocol）パケットの送受信を行っているものとする。
【００２０】
各データ収集子機２１〜２３は、それぞれが１又は２以上の外部機器６２〜６５に接続されており、所定のデータ取得条件が成立すれば、外部機器６２〜６５から測定データを取得する。このデータ取得処理は、データ収集親機１からの指示に基づいて開始され、外部機器６２〜６５から取得した測定データは、データ収集子機２１〜２３内に一旦蓄積された後、ネットワーク３を介してデータ収集親機１へ伝送される。また、各データ収集子機２１〜２３の動作を規定する子機設定データは、データ収集親機１内に保持されており、ネットワーク３を介して、データ収集親機１からデータ収集子機２１〜２３へダウンロードされる。
【００２１】
データ収集親機１は、各データ収集子機２１〜２３に蓄積されている測定データを収集し、データ収集親機１内のデータベースに格納している。このデータ収集処理は、ユーザがデータ収集親機１のスタートボタン１０を操作することによって開始される。すなわち、スタートボタン１０が押されると、データ収集親機１からデータ収集子機２１〜２３へ収集開始パケットが出力され、各データ収集子機２１〜２３においてデータ取得処理が開始される。このデータ取得処理で得られた測定データがデータ収集親機１へ収集され、データベース化される。また、データ収集親機１内のデータベースの閲覧や、データ収集親機１が保持している子機設定データ及び親機設定データの更新は、データ収集親機１に接続したユーザ端末４１を用いて行われる。
【００２２】
データ収集システム７を構成する各データ収集子機２１〜２３は、上述した通り、取得した測定データをデータ収集親機１へ自動的に送信するネットワーク型のデータ収集処理を行っている。ただし、データ収集子機２３は、このようなネットワーク型のデータ収集処理に加えて、スタンドアロン型のデータ収集処理も並列実行することができる。つまり、ここでは、データ収集子機２１，２２がネットワーク型のデータ収集処理のみを実行し、データ収集子機２３がネットワーク型及びスタンドアロン型のデータ収集処理を並列実行するものとする。この様なデータ収集子機２３を本明細書ではデュアル型と呼ぶことにする。
【００２３】
デュアル型のデータ収集子機２３は、スタンドアロン型及びネットワーク型の設定データを保持している。スタンドアロン型のデータ収集処理は、スタンドアロン型の設定データに基づいて行われ、取得した測定データは、ユーザが取り出すまでデータ収集子機２３内に蓄積される。このスタンドアロン型の設定データは、データ収集子機２３に接続されたユーザ端末４２によって更新される。また、当該データ収集処理は、データ収集子機２３のスタートボタン２００の操作によって開始される。一方、ネットワーク型のデータ収集処理は、データ収集親機１からダウンロードされたネットワーク型の設定データに基づいて行われ、データ収集親機１からの収集開始パケットによって開始される。
【００２４】
図２は、図１のデータ収集装置５の一構成例を示したブロック図である。スタンドアロン型のデータ収集装置５は、スタートボタン５０、端末Ｉ／Ｆ（インターフェース）部５１、動作設定部５２、設定データ記憶部５３、データ取得部５４、測定データ記憶部５５及び可搬性記録媒体５６により構成される。
【００２５】
設定データ記憶部５３は、データ収集装置５の動作を規定する設定データを保持している。この設定データは、端末Ｉ／Ｆ部５１を介してユーザ端末４３から与えられ、動作設定部５２によって設定データ記憶部５３に格納される。この設定データ記憶部５３には、例えばフラッシュＲＯＭが用いられる。
【００２６】
データ取得部５４は、外部機器６１から測定データを取得し、測定データ記憶部５５に格納している。測定データを取得するタイミングは、設定データ記憶部５３内の設定データによって決定される。すなわち、データ取得部５４は、上記設定データによって指定されたデータ取得条件が成立するたびに、外部機器６１から測定データを取得している。このデータ取得処理は、ユーザによるスタートボタン５０の操作信号に基づいて開始され、その後に取得した全ての測定データが測定データ記憶部５５に蓄積されていく。この測定データ記憶部５５には、例えばＳＲＡＭが用いられている。
【００２７】
この様にして測定データ記憶部５５に蓄積された測定データは、ユーザ操作によって取り出される。例えば、フレキシブルディスクやメモリカードなどの可搬性記録媒体５６へ記録して取り出される。なお、可搬性記録媒体５６への記録方法は、設定データ記憶部５３内の設定データによって決定される。この様にして、スタンドアロン型のデータ収集装置５では、測定データの取得に関する一連の自動処理が、データ収集装置５内で完結している。
【００２８】
図３は、図１のデータ収集親機１の一構成例を示したブロック図である。このデータ収集親機１は、スタートボタン１０、端末Ｉ／Ｆ（インターフェース）部１１、子機設定記憶部１２、親機設定記憶部１３、データベース記憶部１４、子機設定送信部１５、データ収集部１６及びネットワークＩ／Ｆ部１７により構成される。
【００２９】
ネットワークＩ／Ｆ部１７は、ネットワーク３を介して、データ収集子機２１〜２３に接続されている。子機設定記憶部１２は、ネットワーク３に接続される可能性のある全てのデータ収集子機２１〜２３について、それぞれの子機設定データを保持している。これらの子機設定データは、端末Ｉ／Ｆ部１１を介して、ユーザ端末４１から与えられる。同様にして、当該データ収集親機１の動作を規定する親機設定データもユーザ端末４１から与えられ、親機設定記憶部１３に格納される。
【００３０】
子機設定送信部１５は、ネットワーク３に接続されているデータ収集子機２１〜２３を監視し、この監視結果に基づいて、データ収集子機２１〜２３へ子機設定データを送信している。例えば、新たにデータ収集子機２１〜２３が検出された場合や、古い子機設定データを保持しているデータ収集子機２１〜２３が検出された場合に、当該データ収集子機２１〜２３に対し、子機設定記憶部１２内に保持されている子機設定データを送信する。
【００３１】
データ収集部１６は、各データ収集子機２１〜２３から測定データを収集し、データベース記憶部１４に格納する。このデータ収集処理は、スタートボタン１０の操作信号に基づいて開始される。ユーザがスタートボタン１０を操作すると、データ収集部１６が、各データ収集子機２１〜２３へ収集開始パケットを送信し、その後、各データ収集子機２１〜２３から測定データを含むデータパケットが送信される。このデータパケットを受信したデータ収集部１６が、これらの測定データを整理してデータベース記憶部１４に格納する。この様にしてデータベース記憶部１４内に蓄積された測定データは、端末Ｉ／Ｆ部１１を介して、ユーザ端末４１から閲覧することができる。
【００３２】
図４は、図１のデータ収集子機２１，２２の一構成例を示したブロック図である。ネットワーク型のデータ収集子機２１，２２は、動作設定部２０２、設定データ記憶部２０３、データ取得部２０４、測定データ記憶部２０５、データ送信部２０７及びネットワークＩ／Ｆ部２０８により構成される。
【００３３】
設定データ記憶部２０３は、データ収集子機２１，２２の動作を規定する設定データを保持している。この設定データは、ネットワークＩ／Ｆ部２０８を介してデータ収集親機１から与えられ、動作設定部２０２によって設定データ記憶部２０３に格納される。
【００３４】
データ取得部２０４は、外部機器６２，６３から測定データを取得し、測定データ記憶部２０５に格納している。測定データを取得するタイミングは、設定データ記憶部２０３内の設定データによって決定される。すなわち、データ取得部２０４は、上記設定データによって指定されたデータ取得条件が成立するたびに、外部機器６２，６３から測定データを取得している。このデータ取得処理は、データ収集親機１からの収集開始パケットに基づいて開始される。
【００３５】
データ送信部２０７は、ネットワークＩ／Ｆ部２０８を介して、測定データ記憶部２０５内に保持されている測定データをデータ収集親機１へ送信している。このデータ送信は、図示しないタイマー部からのタイムアップ信号に基づいて周期的に行われる。また、測定データ記憶部２０５がオーバーフローしないように、測定データ記憶部２０５内に一定量以上の測定データが蓄積された場合にもデータ送信が行われる。
【００３６】
図５は、図１のデータ収集子機２３の一構成例を示したブロック図である。このデータ収集子機２３はデュアル型であり、図４に示したネットワーク型のデータ収集子機２１，２２と比較すれば、スタートボタン２００、端末Ｉ／Ｆ部２０１及び可搬性記録媒体２０６を有するとともに、２つのデータ取得部２０４ａ，２０４ｂを有する点で異なる。
【００３７】
設定データ記憶部２０３は、スタンドアロン型及びネットワーク型の設定データをともに保持している。スタンドアロン型の設定データは、端末Ｉ／Ｆ部２０１を介して、ユーザ端末４２から入力される。一方、ネットワーク型の設定データは、ネットワークＩ／Ｆ部２０８を介して、データ収集親機１から入力される。動作設定部２０２は、設定データ記憶部２０３としてのフラッシュＲＯＭの記憶領域をスタンドアロン型及びネットワーク型の記憶領域に区分し、これらの設定データをそれぞれに割り当てられた記憶領域に格納している。
【００３８】
データ取得部２０４ａは、ネットワーク型の設定データに基づいて、外部機器６４から測定データを取得している。つまり、ネットワーク型のデータ収集処理のためのデータ取得を行っている。データ取得部２０４ａが取得した測定データは、測定データ記憶部２０５に一時格納された後、データ送信部２０７によってデータ収集親機１へ送信される。つまり、この一連のデータ収集処理は、ネットワーク型のデータ収集子機２１，２２の場合と全く同様である。
【００３９】
データ取得部２０４ｂは、スタンドアロン型の設定データに基づいて、外部機器６５から測定データを取得している。つまり、スタンドアロン型のデータ収集処理のためのデータ取得を行っている。データ取得部２０４ｂが取得した測定データは、測定データ記憶部２０５に蓄積されていく。このデータ収集処理は、スタートボタン２００の操作によって開始され、取得した測定データは、ユーザが可搬性記録媒体２０６又はユーザ端末４２を用いて取り出すまで、測定データ記憶部２０５に蓄積されている。つまり、この一連のデータ収集処理は、スタンドアロン型のデータ収集装置５の場合と全く同様である。
【００４０】
測定データ記憶部２０５には、短時間の電源遮断によってデータを喪失しないように電池でバックアップされたＳＲＡＭが用いられている。このＳＲＡＭの記憶領域は、スタンドアロン型及びネットワーク型の記憶領域に区分されており、データ取得部２０４ａ，２０４ｂが取得した測定データは、データ取得部２０４ａ，２０４ｂに割り当てられた記憶領域にそれぞれ格納される。
【００４１】
図６は、データ収集子機２３における記憶領域の割り当ての一例を示した図であり、図中の（ａ）には、設定データ記憶部２０３について記憶領域の割り当ての一例が示され、（ｂ）には、測定データ記憶部２０５について記憶領域の割り当ての一例が示されている。
【００４２】
動作設定部２０２は、スタンドアロン型の設定データをネットワーク型の設定データよりも優先して設定データ記憶部２０３に格納する。つまり、設定データ記憶部２０３内では、スタンドアロン型の設定データの記憶領域ａ１が優先的に確保され、残された空き領域ａ２にネットワーク型の設定データが格納される。
【００４３】
ユーザ端末４２からスタンドアロン型の設定データが入力された場合、動作設定部２０２は、設定データ記憶部２０３内に保持されている従前の設定データにかかわらず、新たなスタンドアロン型の設定データに対して優先的に記憶領域ａ１を割り当てる。このため、設定データ記憶部２０３内にネットワーク型の設定データが格納されている場合、スタンドアロン型の設定データの書き込みによって、従前の設定データは上書きされる。
【００４４】
これに対し、データ収集親機１からネットワーク型の設定データを受信した場合、動作設定部２０２は、スタンドアロン型の設定データが既に格納されている記憶領域ａ１以外の空き領域ａ２に、新たなネットワーク型の設定データを格納する。従って、ネットワーク型の設定データの書き込みによって、従前のスタンドアロン型の設定データが上書きされることはない。なお、記憶領域ａ２が、データ収集親機１から受信した設定データを格納するのに必要な領域よりも小さい場合、動作設定部２０２は、当該設定データの書き込みを行わない。
【００４５】
次に、測定データ記憶部２０５の領域割り当てについて説明する。スタンドアロン型の設定データには、測定データ記憶部２０５内における記憶領域の割当情報が含まれている。ここでは、割当情報として、スタンドアロン型の測定データを格納可能な記憶領域ｂ１の指定情報が含まれているものとする。この場合、ネットワーク型の測定データは、設定データ記憶部２０３内の残された空き領域ｂ２に格納される。つまり、スタンドアロン型のデータ取得部２０４ａは、この割当情報に基づいて、記憶領域ｂ１に測定データを格納し、また、ネットワーク型のデータ取得部２０４ｂは、この割当情報に基づいて、記憶領域ｂ２に測定データを格納している。このため、ネットワーク型及びスタンドアロン型のいずれか一方のデータ収集処理において、何らかの異常が発生し、測定データ記憶部２０５内の測定データの数が異常に増大するような場合であっても、他方のデータ収集処理にその影響が及ぶことはない。
【００４６】
なお、データ送信部２０７は、測定データ記憶部２０５に所定量以上の測定データが蓄積された場合に当該測定データの送信を行っており、上記所定量は、ネットワーク型の測定データに割り当てられた測定データ記憶部２０５の記憶領域ｂ２に応じて決定される。
【００４７】
図７は、データ収集子機２３における記憶領域の割り当ての他の例を示した図である。図中の設定データ記憶部２０３には、スタンドアロン型の設定データのみが格納され、また、測定データ記憶部２０５の全記憶領域が、スタンドアロン型のデータ取得部２０４ａが使用する領域として指定されている。この場合、データ収集子機２３は、ネットワーク型のデータ収集処理を行うことはできないが、設定データ記憶部２０３及び測定データ記憶部２０５の記憶エリアを最大限に使用して、スタンドアロン型のデータ収集処理を実行することができる。つまり、デュアル型のデータ収集子機２３は、記憶容量の大きなスタンドアロン型のデータ収集装置５として利用することができる。
【００４８】
なお、ネットワーク型のデータ収集処理を実行するために必要とされる記憶領域が、設定データ記憶部２０３及び測定データ記憶部２０５に残されていない場合、データ収集親機１は、当該データ収集子機２３が、ネットワーク３に接続されていない場合と同様に動作する。すなわち、データ収集親機１は、データ収集子機２１〜２３の検出時に、各データ収集子機２１〜２３における設定データ記憶部２０３及び測定データ記憶部２０５の空き領域を確認している。この結果、十分な空き領域がないと判断した場合には、データ収集子機２３へ設定データを送信せず、また、当該データ収集子機２３についてはデータ収集処理も行わない。
【００４９】
なお、図７の場合とは逆に、設定データ記憶部２０３にネットワーク型の設定データのみを格納し、また、測定データ記憶部２０５の全記憶領域をネットワーク型のデータ取得部２０４ａが使用する領域として指定することもできる。この場合、データ収集子機２３は、スタンドアロン型のデータ収集処理を行うことはできないが、設定データ記憶部２０３及び測定データ記憶部２０５の記憶エリアを最大限に使用して、ネットワーク型のデータ収集処理を実行することができる。
【００５０】
本実施の形態によれば、データ収集親機１及びデータ収集子機２１〜２３をネットワーク接続して構成されるデータ収集システム７において、スタンドアロン型及びネットワーク型のデータ収集処理を並列実行可能なデータ収集子機２３を採用している。このようなデュアル型のデータ収集子機２３を用いれば、スタンドアロン型のデータ収集装置５からネットワーク型のデータ収集子機２１への移行を段階的に行うことができ、移行時におけるユーザの負担を緩和することができる。また、スタンドアロン型のデータ収集装置５及びネットワーク型のデータ収集子機２１をともに設置する場合に比べて、設置スペースを小さくすることができる。
【００５１】
また、このデータ収集子機２３は、設定データ記憶部２０３及び測定データ記憶部２０５の記憶領域を区分して、各データ収集処理に割り当てて、設定データ記憶部２０３及び測定データ記憶部２０５を共用している。このため、デュアル型のデータ収集子機２３を安価に実現することができる。
【００５２】
さらに、デュアル型のデータ収集子機２３は、スタンドアロン型のデータ収集処理のみに使用すれば、設定データ記憶部２０３及び測定データ記憶部２０５として広い記憶領域を確保することができる。
【図面の簡単な説明】
【００５３】
【図１】本発明の実施の形態によるデータ収集システムを含む計測システムの一例を示した図である。
【図２】図１のデータ収集装置５の一構成例を示したブロック図である。
【図３】図１のデータ収集親機１の一構成例を示したブロック図である。
【図４】図１のデータ収集子機２１，２２の一構成例を示したブロック図である。
【図５】図１のデータ収集子機２３の一構成例を示したブロック図である。
【図６】データ収集子機２３における記憶領域の割り当ての一例を示した図である。
【図７】データ収集子機２３における記憶領域の割り当ての他の例を示した図である。
【符号の説明】
【００５４】
１  データ収集親機
２１〜２３  データ収集子機
２００  スタートボタン
２０１  端末Ｉ／Ｆ部
２０２  動作設定部
２０３  設定データ記憶部
２０４，２０４ａ，２０４ｂ  データ取得部
２０５  測定データ記憶部
２０６  可搬性記録媒体
２０７  データ送信部
２０８  ネットワークＩ／Ｆ部
３  ネットワーク
４１〜４３  ユーザ端末
５  データ収集装置
６１〜６５  外部機器
７  データ収集システム
【図１】
2006215997.tif 000003
【図２】
2006215997.tif 000004
【図３】
2006215997.tif 000005
【図４】
2006215997.tif 000006
【図５】
2006215997.tif 000007
【図６】
2006215997.tif 000008
【図７】
2006215997.tif 000009